(57)【特許請求の範囲】
【請求項１】
電子機器の筐体において外部に露出する一面に設けられたコネクタを覆うコネクタカバーの取付構造であって、
前記コネクタカバーは、前記コネクタを覆うカバー本体と、
前記カバー本体の一側方で、同一軸心上で互いに離間して配置され、前記カバー本体の回転軸となる複数の回動軸部と、
前記カバー本体と前記複数の回動軸部とを連結する連結部とを有し、
前記筐体は、前記一面と交差するとともに隣り合い、外部に露出する他面と、
前記一面と前記他面との交差部分に沿って形成され、前記複数の回動軸部を回動自在に収容するとともに前記他面側に開口する軸収容部と、
前記軸収容部と連通するとともに、前記一面側に開口して、前記連結部を、前記軸収容部に収容された前記回転軸部を中心に回動自在に収容する連結収容部とを有し、
前記複数の回動軸部は、前記連結部に、当該連結部から前記回転軸に沿って互いに離間する方向又は互いに対向する方向に突出して接合され、
前記軸収容部は、収容する前記複数の回動軸部の突出部分に対して前記筐体内部への移動を規制する規制凹部と、収容する前記複数の回動軸部における突出部分と逆側の部位に対向して配置され、前記複数の回動軸部に対して、回動軸に沿った前記規制凹部から離間する方向への移動を規制する規制壁部とを有する、コネクタカバーの取付構造。
【請求項２】
前記コネクタカバーは、前記カバー本体、前記複数の回動軸部及び前記連結部のうち少なくとも連結部を弾性変形可能な可撓性を有する部材により形成する、請求項１記載のコネクタカバーの取付構造。
【請求項３】
前記複数の回動軸部は、前記連結部において前記カバー本体側から離間する方向に延出された複数のアーム部の先端にそれぞれ接合され、
前記複数のアーム部同士は、回転軸方向に互いに離間して設けられている、請求項２記載のコネクタカバーの取付構造。
【請求項４】
請求項１記載のコネクタカバーの取付構造に用いられるコネクタカバー。
【発明の詳細な説明】
【技術分野】
【０００１】
本発明は、電子機器の外面に露出するコネクタを覆うコネクタカバーの取付構造に関する。
【背景技術】
【０００２】
従来、携帯電話などの電子機器では、充電器等の外部機器のケーブルに接続するために、筐体の一側面で露出するコネクタを備えている。このようなコネクタを備える筐体には、未使用時のコネクタを覆うコネクタカバーが開閉自在に取り付けられている（例えば特許文献１参照）。
【０００３】
図１０は従来のコネクタカバーの一例を示す図であり、図１１は同コネクタカバーが取り付けられた電子機器を示す図である。
【０００４】
図１０に示す従来のコネクタカバー１は可撓性を有する部材により形成され、コネクタの接続面側を覆うカバー本体２と、カバー本体２の側辺部から延出され、筐体の内部に挿入して取り付けられる舌部３とを有する。カバー本体２は、舌部３に対して折曲自在に取り付けられ、舌部３の先端側には、幅方向に左右対称に張り出した突部４が設けられている。
【０００５】
このコネクタカバー１は、図１１に示す電子機器５の筐体においてコネクタが配設された一側壁面６に形成されたスリット７に、舌部３を先端側から挿入して、筐体の内側に配置させる。スリット７は舌部３の幅に対応して形成されており、先端の突部４は、一側面６を形成する一側壁部の裏面で係合する。これにより、カバー本体２の開閉動作によって、舌部３がスリットから抜脱方向に移動しても、舌部３の突部４が一側壁部の裏面側でスリットの側縁に係合し、抜脱方向への移動を規制する。
【０００６】
また、カバー本体２を舌部３に対して折曲させることによって、カバー本体２と舌部３との接続部分がヒンジとして機能する。つまり、スリットを介して筐体内部に挿入され、コネクタに沿って配置された舌部３に対してカバー本体２は、Ｘ方向に回動する。この回動によってカバー本体２は、コネクタに対して開閉する。
【特許文献１】特開２００６−１１５１６３号公報
【発明の開示】
【発明が解決しようとする課題】
【０００７】
しかしながら、従来のコネクタカバーの取付構造では、コネクタカバー１の抜け防止となる突部が、筐体内部に納まっている。このため、カバー本体２の開閉動作によって、突部４等のコネクタカバーの一部が千切れた場合、ちぎれた破片は筐体内部に残留する。筐体内部に残留する破片は、移動してヒンジなどの運動機構部分に挟まり、運動を妨げる恐れがあり、また筐体内部での移動音を発し、ユーザーに不安感を与える恐れがある。これらに対応するために、筐体を解体して破片を取り除く必要が生じその作業に手間が係る。
【０００８】
また、従来のコネクタカバー１では、外部に配置されるカバー本体２と突部との間の舌部の長さは、カバー本体の開閉による曲げストレスを軽減させるとともに、突部４をスリットから筐体内に押し込むに必要な長さを有している。この長さを収容する筐体内のスペースは、舌部３を筐体内に押し込んだ後、デッドスペースとなるため、このデットスペースを極力小さくしたいという要望がある。
【０００９】
本発明はかかる点に鑑みてなされたものであり、電子機器に取り付けられたコネクタカバーを好適に且つ容易に交換できるとともに、筐体における取り付け部分の省スペース化を図ることができるコネクタカバーの取付構造及びコネクタカバーを提供することを目的とする。
【課題を解決するための手段】
【００１０】
本発明のコネクタカバーの取付構造は、電子機器の筐体において外部に露出する一面に設けられたコネクタを覆うコネクタカバーの取付構造であって、前記コネクタカバーは、前記コネクタを覆うカバー本体と、前記カバー本体の一側方で、同一軸心上で互いに離間して配置され、前記カバー本体の回転軸となる複数の回動軸部と、前記カバー本体と前記複数の回動軸部とを連結する連結部とを有し、前記筐体は、前記一面と交差するとともに隣り合い、外部に露出する他面と、前記一面と前記他面との交差部分に沿って形成され、前記複数の回動軸部を回動自在に収容するとともに前記他面側に開口する軸収容部と、前記軸収容部と連通するとともに、前記一面側に開口して、前記連結部を、前記軸収容部に収容された前記回転軸部を中心に回動自在に収容する連結収容部とを有し、前記複数の回動軸部は、前記連結部に、当該連結部から前記回転軸に沿って互いに離間する方向又は互いに対向する方向に突出して接合され、前記軸収容部は、収容する前記複数の回動軸部の突出部分に対して前記筐体内部への移動を規制する規制凹部と、収容する前記複数の回動軸部における突出部分と逆側の部位に対向して配置され、前記複数の回動軸部に対して、回動軸に沿った前記規制凹部から離間する方向への移動を規制する規制壁部とを有する構成を採る。
【発明の効果】
【００１１】
本発明によれば、電子機器に取り付けられたコネクタカバーを好適に且つ容易に交換できるとともに、筐体における取り付け部分の省スペース化を図ることができる。
【発明を実施するための最良の形態】
【００１２】
以下、本発明の実施の形態について、図面を参照して詳細に説明する。
【００１３】
図１は、本発明の一実施の形態に係るコネクタカバーの取付構造を示す図であり、図２は、同電子機器においてコネクタカバーを開いた状態を示す図である。なお、図１は、電子機器を背面側からみた図であり、図２は、電子機器を正面側からみた図である。
【００１４】
図１に示すコネクタカバーの取付構造において、電子機器１００では、筐体１１０の外部に露出する一面（以下、「上面」という）１１１に配設されたコネクタ配設部１１３内のコネクタ１３０（図２参照）を覆うコネクタカバー２００が、筐体１１０の上面１１１の一側辺部１１１ａに沿った軸心Ａを中心に開閉自在に取り付けられている。なお、コネクタ配設部１１３に隣接して、コネクタ配置領域側にスライド移動してカバー本体２１０に掛止し、当該カバー本体２１０の閉塞状態（閉じた状態）を保持するスライドロック１１５が配設されている。このスライドロック１１５は図示しない付勢部材によりコネクタの配置領域側に常時付勢されている。
【００１５】
図２に示すように電子機器１００では、コネクタカバー２００を開くことによって、コネクタ１３０は外部に露出し、ケーブル３１０の端部のライトアングルプラグ３２０を接続できる。
【００１６】
図３は本発明の一実施の形態に係るコネクタカバーの斜視図であり、図４は、同コネクタカバーの側面図である。
【００１７】
図３に示すコネクタカバー２００は、上面１１１に配置されたコネクタ１３０を覆う板状のカバー本体２１０と、カバー本体２１０をコネクタの配設部１１３に対して開閉させる軸となる回転軸部２２０ａ、２２０ｂと、カバー本体２１０と回転軸部２２０ａ、２２０ｂとを連結する連結部２３０と、を有する。
【００１８】
コネクタカバー２００は、少なくとも連結部２３０を樹脂などの弾性変形可能な可撓性を有する部材により形成している。なお、ここでは、コネクタカバー２００自体が、樹脂などの弾性変形可能な可撓性を有する部材により成形されている。
【００１９】
カバー本体２１０は、一側辺部２１０ａに接続された連結部２３０を介して連結され、筐体１１０に回動自在に取り付けられた回転軸部２２０ａ、２２０ｂを中心に回動し、上面１１１のコネクタ配設部１１３内で臨むように配置されたコネクタ１３０の接続口を閉塞する。
【００２０】
このカバー本体２１０には、連結部２３０が接続された一側辺部２１０ａと隣り合う辺部２１０ｂから外方に突出して設けられ、上面１１１にスライド自在に配置されたスライドロック１１５（図１参照）に係合する爪部２１２が設けられている。
【００２１】
また、カバー本体２１０の他側辺部２１０ｃには、閉じたカバー本体２１０を回動軸部２２０ａ、２２０ｂを中心に回動させる際につまむ摘み部２１４が設けられている。
【００２２】
回動軸部２２０ａ、２２０ｂは、カバー本体２１０よりも下方で且つ側方に同一軸心Ａ上に離間して位置するように連結部２３０を介してカバー本体２１０に連結されている。
【００２３】
回動軸部２２０ａ、２２０ｂは、連結部２３０に対して、当該連結部２３０において軸方向で離間する側の端部からそれぞれ離間する方向に突出するように取り付けられている。
【００２４】
図３及び図４に示すように、連結部２３０は、カバー本体２１０の一側辺部２１０ａから裏面側に傾斜して設けられた板状をなし、同一軸心Ａ上に配置された回動軸部２２０ａ、２２０ｂを、所定の間隔を空けて支持している。
【００２５】
具体的には、連結部２３０は、カバー本体２１０の一側辺部２１０ａに接合され、一側辺部２１０ａに沿って延在する連結本体２３２と、連結本体２３２の軸方向で離間する端部からそれぞれカバー本体２１０から離間する傾斜方向に延在し、且つ、延出された端部に回動軸部２２０ａ、２２０ｂがそれぞれ接合されたアーム部２３４、２３６とからなる。ここでは連結本体２３２及びアーム部２３４、２３６とで側面視コ字状の板体により形成されている。
【００２６】
具体的には、アーム部２３４及びアーム部２３６は、連結本体２３２に、回動軸部２２０ａ、２２０ｂの間隔と同じ間隔を空けて対向して設けられている。
【００２７】
アーム部２３４及びアーム部２３６において、それぞれ対向する端辺部２３４ａ、２３６ａは、回動軸部２２０ａ、回動軸部２２０ｂの基端部２２２ａ、２２２ｂとそれぞれ面一で接続されている。
【００２８】
これらアーム部２３４及びアーム部２３６にそれぞれ接合された回動軸部２２０ａ、２２０ｂは、端辺部２３４ａ、２３６ａと平行な端辺部２３４ｂ、２３６ｂから、軸方向に沿って互いに離間する方向に突出している。なお、回動軸部２２０ａ、２２０ｂがそれぞれアーム部２３４、２３６から軸方向に沿って互いに離間する方向に突出する長さは、どのような長さでも良く、互いに異なる長さであってもよい。
【００２９】
このようにコネクタカバー２００では、連結本体２３２と回動軸部２２０ａ、２２０ｂとの間には、回動軸部２２０ａと回動軸部２２０ｂ間と連通して、アーム部２３４、２３６の長さ分の空間Ｔが形成されている。加えて、連結部２３０では、アーム部２３４、２３６の突出端には、軸方向に沿って互いに離間する方向に突出した回動軸部２２０ａ、２２０ｂが設けられ、これら回動軸部２２０ａ、２２０ｂ間の空間と空間Ｔは連通している。
【００３０】
連結部２３０は、弾性変形自在であるため、連結部２３０自体を変形させて、アーム部２３４、２３６の端部に接合された回動軸部２２０ａ、２２０ｂを互いにねじれた方向に変位させることができる。具体的には、弾性変形するアーム部２３４、２３６が、連結本体２３２において軸方向に離間する端部のそれぞれから、交差する方向（ここでは直交する方向）に突出して形成されているため、アーム部２３４，２３６自体を変形させて突出方向を軸心としてねじりやすくなっている。なお、この際、アーム部２３４、２３６の変形に追従して連結本体２３２も変形することで、アーム部２３４、２３６はよりねじりやすくなっている。よって、アーム部２３４、２３６の突端に形成された回動軸部２２０ａ、２２０ｂに対して、互いの軸心をずれた方向に変位させる（例えば互いに軸心を９０度ずれさせる）ことができる。
【００３１】
連結部２３０に対する回動軸部２２０ａ、２２０ｂの接合状態は、図４に示すように、回動軸部２２０ａと回動軸部２２０ｂの間の長さＲを、回動軸部２２０ａ、２２０ｂの直径φＰよりも長くしている。また、回動軸部２２０ａ、２２０ｂの軸心Ａから当該軸心Ａと対向し空間Ｔを仕切る連結本体２３２の側辺部までの長さＳは、連結部２３０（詳細には、アーム部２３４）からの回動軸部２２０ａの突出長さＱよりも長くなっている。
【００３２】
このように構成されたコネクタカバー２００は、図５に示すように、回動軸部２２０ａ、２２０ｂを、筐体１１０において上面１１１と直交して隣り合う外面（背面１１６）に開口する軸収容部１６２内に回動自在に配設することで、筐体１１０に取り付けられている。
【００３３】
図６は、電子機器の筐体においてコネクタカバーを取り付ける部位を示す筐体の斜視図であり、図７は同コネクタカバーが取り付けられる部位を筐体の背面側から見た図である。
【００３４】
図６及び図７に示すように、軸収容部１６２は、筐体１１０において直交する上面１１１及び背面１１６をそれぞれ外面とする上面壁部及び背面壁部とが直交する角部（筐体の肉厚部分）１６０に、背面１１６に開口して、側辺部１１１ａに沿って形成されている。なお、図６において、上面１１１に上方に開口した凹状のコネクタ配設部１１３内に形成された開口１１３ａは、コネクタ１３０（図２に示す）が取り付けられる穴である。軸収容部１６２に回動軸部２２０ａ、２２０ｂを収容して、コネクタカバー２００を取り付けることによって、カバー本体２１０をコネクタ配設部１１３に対して開閉させ、開口１１３ａに取り付けられるコネクタ１３０（図２参照）を被覆自在としている。
【００３５】
軸収容部１６２は、筐体１１０の角部分１６０において背面１１６側に開口し、側辺部１１１ａと直交する断面の中心を軸心Ａに略一致させて、回転軸部２２０ａ、２２０ｂを回動自在に収容するように形成された凹部を柱部１６４により仕切ることで形成されている。
【００３６】
また、背面１１６側から見て、柱部１６４の両側壁部分に隣接する壁部分は、筐体１１０の内方に後退し、柱部１６４の両側部に、アーム部２３４、２３６を収容するアーム収容領域１６６を形成している。なお、アーム収容領域１６６の底面は軸収容部１６２の底面と面一である。
【００３７】
言い換えれば、軸収容部１６２では、それぞれ柱部１６４において軸方向（一側辺部１１１ａの延在方向）で離間する両側壁面と対向する部分は、収容した回動軸部２２０ａ、２２０ｂのそれぞれにおけるアーム部２３４，２３６からの突出部分Ｑ（図４参照）を、軸心Ａと直交する筐体１１０内側への方向の移動を規制しつつ回動自在に収容する規制凹部１６５が形成されている。
【００３８】
このように角部１６０では、柱部１６４は、軸収容部１６２の規制凹部１６５内に突出部分が収容された回動軸部２２０ａ、２２０ｂの互いに対向する方向への移動を規制するストッパとして機能する。
【００３９】
つまり、柱部１６４では、回転軸方向と直交する両側面が規制壁部となり、収容する回動軸部２２０ａ、２２０ｂにおける突出部分と逆側で対向して配置され、回動軸部２２０ａ、２２０ｂに対して、規制凹部１６５から離間する方向への移動を規制している。
【００４０】
また、軸収容部１６２に収容された回動軸部２２０ａ、２２０ｂにおいて連結部２３０（詳細にはアーム部２３４、２３６）から突出する先端部分は、規制凹部１６５により挿入方向とは逆の方向（軸心Ａと直交する抜脱方向）への移動を規制される。ここでは、回動軸部２２０ａ、２２０ｂは、連結部２３０に対して互いに離間する方向（左右方向）に突出して設けられ、これら突出部分がそれぞれ規制凹部１６５内に配設されるため、コネクタカバー２００自体の抜けが防止されている。
【００４１】
図８は、回動軸部が収容された軸収容部を仕切る上面部分で切断した状態を示す要部断面図である。
【００４２】
図８に示すように、角部１６０では、回動軸２２０ａ、２２０ｂを回動自在に収容した軸収容部１６２は、柱部１６４及び規制凹部１６５を仕切る部位により形成され、柱部１６４の両側側の領域で、筐体１１０の内方に後退した凹状の壁面により仕切られたアーム収容領域１６６に連通している。
【００４３】
また、軸収容部１６２の上方には、アーム収容領域１６６を介して軸収容部１６２に連通するとともに、上面１１１側に開口し、連結部２３０の連結本体２３２を収容する連結本体収容部１６７が形成されている。
【００４４】
このようにコネクタカバー２００が取り付けられる筐体１１０の角部分１６０には、コネクタカバー２００の回動軸部２２０ａ、２２０ｂ及び連結部２３０の形状に対応し、且つ回動軸部２２０ａ、２２０ｂ、連結部２３０が回動自在に収容する収容部、収容領域が形成されている。
【００４５】
次に、電子機器１００の筐体１１０へのコネクタカバー２００の取り付け方法を説明する。
【００４６】
図３及び図４に示すコネクタカバー２００の回動軸部２２０ａを、筐体１１０において柱部１６４により仕切られた軸収容部１６２（図６及び図７参照）のうち対応する軸収容部１６２内に、連結本体収容部１６７、アーム収容領域１６６を通して挿入する。
【００４７】
また、回動軸部２２０ｂを、筐体１１０において柱部１６４により仕切られた軸収容部１６２（図６及び図７参照）のうち対応する軸収容部１６２内に、連結本体収容部１６７、アーム収容領域１６６を通して挿入する。
【００４８】
これら回動軸部２２０ａ、２２０ｂは、連結部２３０自体を変形させて、それぞれの軸方向を変位させ、軸収容部１６２から背面１１６側の開口を利用しつつ、対応する軸収容部１６２に挿入できる。
【００４９】
具体的には、回動軸部２２０ａ、２２０ｂのうち一方の回動軸部を対応する軸収容部１６２に挿入した後、他方の回動軸部を、その軸心を９０度変位させて、連結本体収容部１６７、アーム収容領域１６６を通して挿入できる。
【００５０】
そして、軸収容部１６２にそれぞれ挿入された回動軸部２２０ａ、２２０ｂは、連結部２３０の連結本体２３２及びアーム部２３４、２３５の弾性復帰力によって復帰し、それぞれ回転可能に収容される。
【００５１】
このように筐体１１０及びコネクタカバー２００を備えるコネクタカバー２００の取付構造によれば、コネクタカバー２００は、筐体１１０の上面１１１及び背面１１６を形成する上面部及び背面部が直交してなる筐体１１０の肉厚部分である角部１６０に取り付けられている。つまり、コネクタカバー２００は、筐体１１０において、当該筐体１１０内部空間を仕切り、一側辺部１１１ａに沿った壁部の交わる肉厚部分に、筐体１１０の内部空間に干渉することなく、一側辺部１１１ａに沿った軸心を中心に回動自在に取り付けられている。
【００５２】
具体的には、コネクタカバー２００の回動中心となる回動軸部２２０ａ、２２０ｂが、筐体内に挿入されることなく、背面（外面）１１６で開口する軸収容部１６２に収容される。このため、経年変化や使用頻度による消耗によってコネクタカバー２００が千切れても、ちぎれた破片が筐体１１０内部に残ることがない。よって、ちぎれた破片を取り除くために筐体１１０を解体する必要がなく、別のコネクタカバー２００に容易に付け替えることができる。
【００５３】
また、コネクタカバー２００は筐体１１０に対して回転軸で回動させるようにして、カバー本体２１０の筐体１１０の上面１１１に対する開閉を回転運動にしているため、従来と比較して、回転軸とカバー本体２１０間の長さが短く、つまり連結部２３０を短くなり、筐体１１０におけるデッドスペースを小さくできる。
【００５４】
さらに、筐体１１０の背面１１６で開口するとともにコネクタ配設部１１３内に連通する軸収容部１６２は、弾性復帰した回動軸部２２０ａ、２２０ｂにより閉塞され、上面１１１において矩形枠で囲まれたコネクタ配設部１１３はカバー本体２１０により閉塞される。これによりコネクタ配設部１１３に対して防水性の向上を図ることができる。
【００５５】
また、コネクタカバー２００は、筐体１１０内に挿入されることなく角部１６０に取り付けられるため、従来のコネクタカバーの取付構造と異なり、コネクタカバーの一部を筐体内部に差し込むことなく取り付けることができる。よって、筐体１１０自体を、接着などの永久的結合手段によって、その内部空間を完全に密閉して形成した場合、この筐体１１０に対して、当該筐体１１０の密閉された内部空間になんら干渉することなくコネクタカバーを取り付けて、筐体１１０自体の防水性を確保できる。このように、本実施の形態のコネクタカバーの取付構造は、外面にコネクタが配設され、接着などの永久的結合手段によって完全に密閉された内部空間を有する筐体１１０に対して、より有効な取付手段となっている。
【００５６】
このように本実施の形態によれば、電子機器に取り付けられたコネクタカバーを好適に且つ容易に交換できるとともに、筐体における取り付け部分の省スペース化を図ることができる。
【００５７】
さらに、コネクタカバー２００には、連結本体２３２と、回動軸部２２０ａ、２２０ｂとを、互いに離間して対向するアーム部２３４、２３６を介して結合している。
【００５８】
これにより、アーム部２３４、２３６の互いに対向する端辺部２２２ａ、２２２ｂ（図３参照）と、連結本体２３２の側辺部に囲まれ、互いに離間する回転軸部２２０ａ、２２０ｂ間の空間側に開口して連通する空間Ｔが形成されている。この空間Ｔを用いて、カバー取付の際（具体的には、回動軸部２２０ａ、２２０ｂをそれぞれ軸収容部１６２に収容させる際）において連結部２３０を変形させる領域を確保することができる。
【００５９】
また、本実施の形態に係るコネクタカバーの取付構造では、コネクタカバー２２０の回動軸部２２０ａ、２２０ｂは、背面１１６側で開口する軸収容部１６２内に回動自在に収容されている。
【００６０】
これにより、回動軸部２２０ａ、２２０ｂは筐体１１０の背面１１６側から軸収容部１６２の開口（取付確認窓部）を介して視認することができ、回動軸部２２０ａ、２２０ｂが確実に収容されているか否かを容易に確認することができる。
【００６１】
なお、この本実施の形態のコネクタカバー２００では、互いに離間して配置される回動軸部２２０ａ、２２０ｂ（図３及び図４参照）を連結部２３０に対して、同一軸心Ａ上で互いに離間する方向に突出して設ける構成としたが、これに限らない。
【００６２】
例えば、コネクタカバー２００において、カバー本体２１０に接合される連結部２３０のアーム部２３４，２３６から互いに対向する方向に突出するように設けても良い。
【００６３】
図９は、コネクタカバーの変形例を示す図である。
【００６４】
なお、図９に示すコネクタカバー２００Ａは、コネクタカバー２００と比較して、回動軸部と連結部との接合状態のみ異なり、その他の構成は同様である。よって、同一の構成要素には同符号を付して、その説明は省略する。
【００６５】
図９に示すコネクタカバー２００Ａは、カバー本体２１０に接合された連結部２３０のアーム部から互いに対向する方向に突出して回動軸部２２０ｃ、２２０ｄが取り付けられている。なお、この突出度合いは、回動軸部２２０ｃ、２２０ｄの軸心から当該軸心と対向して空間Ｔを仕切る連結本体２３２の側辺部までの長さよりも長い。
【００６６】
なお、コネクタカバー２００Ａが取り付けられる筐体の角部の構成は、筐体１１０に設けられた角部１６０（図６及び図７参照）の構成において、柱部の両側面に、上側が水平壁面で仕切られた規制凹部１６５を形成し、角部１６０において規制凹部１６５が形成された部位に柱部を設ける構成とする。これら規制凹部に、コネクタカバー２００Ａの回動軸部２２０ｃ、２２０ｄにおいてアーム部２３４、２３６から突出する突出部分を遊嵌し、それぞれの基端側を柱部で規制させることによって、回動軸部２２０ｃ、２２０ｄは軸収容部に回動自在に収容する。このように構成されたコネクタカバーの取付構造は、コネクタカバー２００を筐体１１０の角部１６０に取り付けた構造と同様の作用効果を得ることができる。
【００６７】
以上、本発明の実施の形態について説明した。なお、以上の説明は本発明の好適な実施の形態の例証であり、本発明の範囲はこれに限定されない。つまり、上記各装置の構成および各装置の使用時の動作についての説明は一例であり、本発明の範囲においてこれらの例に対する様々な変更や追加が可能であることは明らかである。
【図面の簡単な説明】
【００６８】
【図１】本発明の一実施の形態に係るコネクタカバーの取付構造を示す図
【図２】電子機器を正面側からみた図
【図３】本発明の一実施の形態に係るコネクタカバーの斜視図
【図４】同コネクタカバーの側面図
【図５】コネクタカバーが取り付けられた電子機器の要部拡大図
【図６】電子機器の筐体においてコネクタカバーを取り付ける部位を示す筐体の斜視図
【図７】同コネクタカバーが取り付けられる部位を筐体の背面側から見た図
【図８】回動軸部が収容された軸収容部を仕切る上面部分で切断した状態を示す要部断面図
【図９】コネクタカバーの変形例を示す図
【図１０】従来のコネクタカバーの一例を示す図
【図１１】従来のコネクタカバーが取り付けられた電子機器を示す図
【符号の説明】
【００６９】
１００  電子機器
１１０  筐体
１１１  上面
１１６  背面
１３０  コネクタ
１６４  柱部
１６５  規制凹部
２００  コネクタカバー
２１０  カバー本体
２２０ａ、２２０ｂ、２２０ｃ、２２０ｄ  回動軸部
２３０  連結部
２３４、２３６  アーム部
【図１】
0005032368.tif 000002
【図２】
0005032368.tif 000003
【図３】
0005032368.tif 000004
【図４】
0005032368.tif 000005
【図５】
0005032368.tif 000006
【図６】
0005032368.tif 000007
【図７】
0005032368.tif 000008
【図８】
0005032368.tif 000009
【図９】
0005032368.tif 000010
【図１０】
0005032368.tif 000011
【図１１】
0005032368.tif 000012